(57)【要約】【課題】より簡易な構成で二次電池の充電傾向を知らせることができる。【解決手段】太陽電池１０８は二次電池１０７を充電する。ＣＰＵ１０１は、二次電池１０７の電圧値を所定の周期で検出し、複数回検出した電圧値を比較した結果に基づいて、二次電池１０７の蓄電量の増減を判定する。また、ＣＰＵ１０１は、判定した二次電池１０７の蓄電量の増減を示す情報を表示部１１０に表示させる。【選択図】図１
2013029407.tif 000002
【特許請求の範囲】
【請求項１】
充電可能な二次電池と、
前記二次電池を充電する充電部と、
表示部と、
前記二次電池の電圧値を所定の周期で検出する電圧検出部と、
前記電圧検出部が複数回検出した前記電圧値を比較した結果に基づいて、前記二次電池の蓄電量の増減を判定する充電傾向判定部と、
前記充電傾向判定部が判定した前記二次電池の蓄電量の増減を示す情報を前記表示部に表示させる表示制御部と、
を備えることを特徴とする電子機器。
【請求項２】
前記所定の周期は１日周期であり、
前記充電傾向判定部は、前記電圧検出部が検出した前記電圧値と当該検出の１日前に検出した前記電圧値とを比較し、前記二次電池の蓄電量の増減を判定する
ことを特徴とする請求項１に記載の電子機器。
【請求項３】
前記充電傾向判定部は、前記電圧検出部が前記電圧値を所定の回数検出する毎に当該回数分の前記電圧値の平均値を算出し、当該算出した平均値を比較した結果に基づいて、前記二次電池の蓄電量の増減を判定する
ことを特徴とする請求項１に記載の電子機器。
【請求項４】
前記所定の周期は１日周期であり、
前記所定の回数は７回である
ことを特徴とする請求項３に記載の電子機器。
【請求項５】
充電可能な二次電池と、
前記二次電池を充電する充電部と、
表示部と、
前記二次電池の電圧値を所定の周期で検出する電圧検出部と、
前記電圧検出部が複数回検出した前記電圧値を比較した結果に基づいて、前記二次電池の蓄電量の増減を判定する充電傾向判定部と、
前記充電傾向判定部が判定した前記二次電池の蓄電量の増減を示す情報を前記表示部に表示させる表示制御部と、
を備えることを特徴とする電子時計。
【発明の詳細な説明】
【技術分野】
【０００１】
本発明は、電子機器および電子時計に関する。
【背景技術】
【０００２】
二次電池の蓄電量の表示方法として、簡易的に「Ｈ」「Ｍ」「Ｌ」の３段階などで表示するソーラー時計が知られている。しかしながら、この表示方法は表示時点での蓄電量を示しているので、ユーザーは二次電池の充電傾向を把握することが難しい。そのため、ユーザーは、ソーラー時計を太陽に当てるなど積極的に充電した方がよいのか、そのままソーラー時計を使用するだけでよいのかを判断することが難しい。
【０００３】
この課題を解決する電子時計として、入力エネルギー量と出力エネルギー量とを検出する入出力エネルギー量検出手段によりエネルギー収支を求め、エネルギー量の変動傾向を告知する電子時計が知られている（例えば、特許文献１参照）。
【先行技術文献】
【特許文献】
【０００４】
【特許文献１】特開平１１−５２０３５号公報
【発明の概要】
【発明が解決しようとする課題】
【０００５】
しかしながら、特許文献１に記載の電子時計では、入出力エネルギー量を検出するために特別な回路が必要となるという問題がある。また、エネルギー量の変動傾向を判断するために入出力エネルギー量の測定回数が多くなり、電力を多く消費してしまうという問題がある。
【０００６】
そこで、本発明は上述の事情を鑑みてなされたものであり、より簡易な構成で二次電池の充電傾向を知らせることができる電子機器および電子時計を提供することを目的とする。
【課題を解決するための手段】
【０００７】
本発明は、充電可能な二次電池と、前記二次電池を充電する充電部と、表示部と、前記二次電池の電圧値を所定の周期で検出する電圧検出部と、前記電圧検出部が複数回検出した前記電圧値を比較した結果に基づいて、前記二次電池の蓄電量の増減を判定する充電傾向判定部と、前記充電傾向判定部が判定した前記二次電池の蓄電量の増減を示す情報を前記表示部に表示させる表示制御部と、を備えることを特徴とする電子機器である。
【０００８】
また、本発明の電子機器において、前記所定の周期は１日周期であり、前記充電傾向判定部は、前記電圧検出部が検出した前記電圧値と当該検出の１日前に検出した前記電圧値とを比較し、前記二次電池の蓄電量の増減を判定することを特徴とする。
【０００９】
また、本発明の電子機器において、前記充電傾向判定部は、前記電圧検出部が前記電圧値を所定の回数検出する毎に当該回数分の前記電圧値の平均値を算出し、当該算出した平均値を比較した結果に基づいて、前記二次電池の蓄電量の増減を判定することを特徴とする。
【００１０】
また、本発明の電子機器において、前記所定の周期は１日周期であり、前記所定の回数は７回であることを特徴とする。
【００１１】
また、本発明は、充電可能な二次電池と、前記二次電池を充電する充電部と、表示部と、前記二次電池の電圧値を所定の周期で検出する電圧検出部と、前記電圧検出部が複数回検出した前記電圧値を比較した結果に基づいて、前記二次電池の蓄電量の増減を判定する充電傾向判定部と、前記充電傾向判定部が判定した前記二次電池の蓄電量の増減を示す情報を前記表示部に表示させる表示制御部と、を備えることを特徴とする電子時計である。
【発明の効果】
【００１２】
本発明によれば、充電部は二次電池を充電する。また、電圧検出部は、二次電池の電圧値を所定の周期で検出する。また、充電傾向判定部は、電圧検出部が複数回検出した電圧値を比較した結果に基づいて、二次電池の蓄電量の増減を判定する。また、表示制御部は、充電傾向判定部が判定した二次電池の蓄電量の増減を示す情報を表示部に表示させる。これにより、二次電池の電圧値を所定の周期で検出することで、二次電池の蓄電量の増減を判定し、判定結果を表示させることができる。従って、より簡易な構成で二次電池の充電傾向を知らせることができる。
【図面の簡単な説明】
【００１３】
【図１】本発明の第１の実施形態における電子時計の構成を示したブロック図である。
【図２】本発明の第１の実施形態における本実施形態における電源部と、太陽電池と、逆流防止回路と、過充電防止回路との回路構成を示した回路図である。
【図３】本発明の第１の実施形態における二次電池の充電傾向を示す表示内容を示した概略図である。
【図４】本発明の第１の実施形態における二次電池の充電傾向を示す表示内容を示した概略図である。
【図５】本発明の第１の実施形態における二次電池の充電傾向を示す表示内容を示した概略図である。
【図６】本発明の第１の実施形態における二次電池の充電傾向を示す表示内容を示した概略図である。
【図７】本発明の第１の実施形態における電子時計が実行する充電傾向表示処理の処理手順を示したフローチャートである。
【図８】本発明の第１の実施形態における電子時計が充電傾向表示処理で日々検出した二次電池の電圧値を示したグラフである。
【図９】本発明の第１の実施形態における電子時計が充電傾向表示処理で日々検出した二次電池の電圧値を示したグラフである。
【図１０】本発明の第２の実施形態における電子時計が実行する充電傾向表示処理の処理手順を示したフローチャートである。
【発明を実施するための形態】
【００１４】
（第１の実施形態）
以下、本発明の第１の実施形態について、図面を参照しながら説明する。本実施形態では、電子機器の一例として、太陽電池を備えた電子時計の例を用いて説明する。図１は、本実施形態における電子時計の構成を示したブロック図である。図示する例では、電子時計１００は、ＣＰＵ１０１（電圧検出部、充電傾向判定部、表示制御部）と、発振回路１０２と、分周回路１０３と、入力部１０４と、ＲＯＭ（Ｒｅａｄ  Ｏｎｌｙ  Ｍｅｍｏｒｙ、読み出し専用メモリ）１０５と、ＲＡＭ（Ｒａｎｄｏｍ  Ａｃｃｅｓｓ  Ｍｅｍｏｒｙ、ランダムアクセスメモリ）１０６と、二次電池１０７と、太陽電池１０８（充電部）と、逆流防止回路１０９と、表示部１１０とを備える。
【００１５】
ＣＰＵ１０１は、電子時計１００が備える各部の制御を行う。また、ＣＰＵ１０１は、二次電池１０７の電圧を検出する。また、ＣＰＵ１０１は、二次電池１０７の蓄電量の増減を判定する。また、ＣＰＵ１０１は、表示部１１０の表示を制御する。発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。ＲＯＭ１０５は、ＣＰＵ１０１が実行するプログラムを予め記憶している。ＲＡＭ１０６は、電子時計１００が用いるデータを記憶する。
【００１６】
二次電池１０７は、充電可能な電池であり、電子時計１００が備える各部に電力を供給する。二次電池１０７が出力する電圧（出力電圧）は、電池残量（蓄電量）が多い場合には高く、電池残量が少なくなるにつれて低くなる。これにより、二次電池１０７が出力する電圧の値（出力電圧値）に基づいて、二次電池１０７の電池残量を検出することができる。
【００１７】
太陽電池１０８は、受光した光の強度に応じた電力を発電し、二次電池１０７を充電する。逆流防止回路１０９は、二次電池１０７から太陽電池１０８に電流が流れないように制御する回路である。表示部１１０は例えば液晶ディスプレイであり、時刻や、二次電池の充電傾向を示す情報などを表示する。
【００１８】
次に、電子時計１００が備える二次電池１０７と、太陽電池１０８と、逆流防止回路１０９と、過充電防止回路との回路構成について説明する。図２は、本実施形態における電子時計１００が備える二次電池１０７と、太陽電池１０８と、逆流防止回路１０９と、過充電防止回路２００との回路構成を示した回路図である。なお、過充電防止回路２００は、ＣＰＵ１０１の一部である。また、過充電防止回路２００は、基準電圧回路２０１と、コンパレータ部２０２と、ＮＭＯＳトランジスタ２０３とを備える。
【００１９】
図示する例では、太陽電池１０８の陽極端子は電源線Ｖｓｃに接続され、陰極端子は電源線Ｖｓｓに接続されている。また、二次電池１０７の陽極端子は電源線Ｖｄｄに接続され、陰極端子は電源線Ｖｓｓに接続されている。また、逆流防止回路１０９はダイオード素子であり、アノード端子は電源線Ｖｓｃに接続され、カソード端子は電源線Ｖｄｄに接続されている。この構成により、二次電池１０７から太陽電池１０８に電流が流れることを防止することができる。
【００２０】
また、コンパレータ部２０２の入力端子の一端は電源線Ｖｄｄに接続され、他端は基準電圧回路２０１に接続されている。また、コンパレータ部２０２の出力端子は、ＮＭＯＳトランジスタ２０３のゲート端子に接続されている。また、ＮＭＯＳトランジスタ２０３のソース端子は電源線Ｖｓｓに接続され、ドレイン端子は電源線Ｖｓｃに接続されている。
【００２１】
基準電圧回路２０１は、基準電圧をコンパレータ部２０２に入力する。基準電圧は、例えば二次電池１０７が満充電の際に出力する電圧２．６Ｖである。コンパレータ部２０２は、電源線Ｖｄｄの電圧と基準電圧とを比較し、電源線Ｖｄｄの電圧が基準電圧以上の場合には出力端子から電圧を出力する。これにより、電源線Ｖｄｄの電圧が基準電圧以上の場合、すなわち、二次電池１０７が満充電の場合、太陽電池１０８が発電した電流は二次電池１０７を流れず、ＮＭＯＳトランジスタ２０３を流れる。従って、二次電池１０７の過充電を防止することができる。
【００２２】
次に、表示部１１０が表示する、二次電池１０７の充電傾向を示す表示内容について説明する。図３は、本実施形態における表示部１１０が表示する、二次電池１０７の充電傾向を示す表示内容を示した概略図である。図３（１）に示す表示「−」は、二次電池１０７の蓄電量が減少している、すなわち、充電電力量よりも消費電力量が多いことを示す表示である。図３（２）に示す表示「−＋」は、二次電池１０７の蓄電量が変化していない、すなわち、充電電力量と消費電力量とが同じであることを示す表示である。図３（３）に示す表示「＋」は、二次電池１０７の蓄電量が増加している、すなわち、消費電力量よりも充電電力量が多いことを示す表示である。ユーザーは、表示部１１０が表示するこれらの表示を見ることで、二次電池１０７の充電傾向を知ることができる。従って、ユーザーは、電子時計１００を太陽に当てるなど積極的に二次電池１０７を充電した方がよいのか、そのまま電子時計１００を使用するだけでよいのか容易に判断することができる。
【００２３】
例えば、表示部１１０が図３（１）に示す「−」表示を行っている場合、ユーザーは二次電池１０７の蓄電量が減少していることを知ることができる。そのため、ユーザーは、積極的に二次電池１０７を充電した方が良いと容易に判断することができる。また、表示部１１０が図３（２）に示す「−＋」表示を行っている場合、ユーザーは二次電池１０７の蓄電量は変化していないことを知ることができる。そのため、ユーザーは、これまでと同様に電子時計１００を使用しても二次電池１０７の蓄電容量が減少しないため、積極的に二次電池１０７を充電する必要がないと容易に判断することができる。また、表示部１１０が図３（３）に示す「＋」表示を行っている場合、ユーザーは二次電池１０７の蓄電量は増加していることを知ることができる。そのため、ユーザーは、二次電池１０７を充電することができるため、これまでと同様に電子時計１００を使用するのが良いと判断することができる。
【００２４】
なお、表示部１１０が表示する、二次電池１０７の充電傾向を示す表示内容は、図３に示した表示内容に限らない。以下、表示部１１０が表示する、二次電池１０７の充電傾向を示す表示内容の例について図４〜図６を用いて説明する。
【００２５】
図４（１）に示す図形４０１の表示は、二次電池１０７の蓄電量が減少していることを示す表示である。また、図４（２）に示す図形４０２の表示は、二次電池１０７の蓄電量が変化していないことを示す表示である。また、図４（３）に示す図形４０３の表示は、二次電池１０７の蓄電量が増加していることを示す表示である。
【００２６】
また、静的な表示ではなく、動的な表示で二次電池の充電傾向を示すようにしてもよい。例えば、図５（１）に示すように、電池マーク５０１、電池マーク５０２、・・・、電池マーク５０５、電池マーク５０１、・・・、の順に一定時間毎（例えば１秒毎）に表示を変化させることで、二次電池１０７の蓄電量が減少していることを示すようにしてもよい。また、図５（２）に示すように、電池マーク５１１，電池マーク５１２を一定時間毎に交互に表示し、二次電池１０７の蓄電量が変化していないことを示すようにしてもよい。また、図５（３）に示すように、電池マーク５２１、電池マーク５２２、・・・、電池マーク５２５、電池マーク５２１、・・・、の順に一定時間毎に表示を変化させることで、二次電池１０７の蓄電量が増加していることを示すようにしてもよい。
【００２７】
また、電池マークに限らず、他の図形を動的に表示させ、二次電池の充電傾向を示すようにしてもよい。例えば、図６（１）に示すように、図形６０１、図形６０２、・・・、図形６０５、図形６０１、・・・、の順に一定時間毎に表示を変化させることで、二次電池１０７の蓄電量が減少していることを示すようにしてもよい。また、図６（２）に示すように、図形６１１，図形６１２を一定時間毎に交互に表示し、二次電池１０７の蓄電量が変化していないことを示すようにしてもよい。また、図６（３）に示すように、図形６２１、図形６２２、・・・、図形６２５、図形６２１、・・・、の順に一定時間毎に表示を変化させることで、二次電池１０７の蓄電量が増加していることを示すようにしてもよい。
【００２８】
次に、本実施形態における電子時計１００が、二次電池１０７の充電傾向を表示部１１０に表示する充電傾向表示処理について説明する。図７は、本実施形態における電子時計１００が実行する充電傾向表示処理の処理手順を示したフローチャートである。なお、電子時計１００は、１日１回定時に充電傾向表示処理を実行する。例えば、電子時計１００は、ユーザーが電子時計１００を使用する可能性が少ない午前３時に充電傾向表示処理を実行する。
【００２９】
（ステップＳ１０１）ＣＰＵ１０１は、二次電池１０７の電圧値を検出する。その後、ステップＳ１０２の処理に進む。
（ステップＳ１０２）ＣＰＵ１０１は、ステップＳ１０１の処理で検出した二次電池１０７の電圧値と、前日に充電傾向表示処理を実行した際に更新した、ＲＡＭ１０６が記憶している「前日の電圧値」とを比較し、どちらの電圧値が高い（低い）電圧値であるかを判定する。ステップＳ１０１で検出した電圧値は「前日の電圧値」よりも低い電圧値であるとＣＰＵ１０１が判定した場合にはステップＳ１０３の処理に進む。また、ステップＳ１０１で検出した電圧値と「前日の電圧値」とは同じ電圧値であるとＣＰＵ１０１が判定した場合にはステップＳ１０４の処理に進む。また、ステップＳ１０１で検出した電圧値は「前日の電圧値」よりも高い電圧値であるとＣＰＵ１０１が判定した場合にはステップＳ１０５の処理に進む。なお、電子時計１００が起動またはリセットされた等により、初めて充電傾向表示処理を実行した場合、ＲＡＭ１０６には「前日の電圧値」が記憶されていないため、ＣＰＵ１０１は、ステップＳ１０１の処理で検出した電圧値を「前日の電圧値」としてＲＡＭ１０６に記憶させ、充電傾向表示処理を終了する。
【００３０】
（ステップＳ１０３）ＣＰＵ１０１は、ＲＡＭ１０６が記憶している傾向フラグの値を「−１」に更新する。その後、ステップＳ１０６の処理に進む。
（ステップＳ１０４）ＣＰＵ１０１は、ＲＡＭ１０６が記憶している傾向フラグの値を「０」に更新する。その後、ステップＳ１０６の処理に進む。
（ステップＳ１０５）ＣＰＵ１０１は、ＲＡＭ１０６が記憶している傾向フラグの値を「１」に更新する。その後、ステップＳ１０６の処理に進む。
【００３１】
（ステップＳ１０６）ＣＰＵ１０１は、ＲＡＭ１０６が記憶している「前日の電圧値」を、ステップＳ１０１の処理で検出した二次電池１０７の電圧値に更新する。その後、ステップＳ１０７の処理に進む。
（ステップＳ１０７）ＣＰＵ１０１は、ＲＡＭ１０６が記憶している傾向フラグの値に基づいて、二次電池１０７の充電傾向を示す表示内容を表示部１１０に表示させる。具体的には、ＲＡＭ１０６が記憶している傾向フラグの値が「−１」である場合、ＣＰＵ１０１は、二次電池１０７の蓄電量が減少していることを示す表示内容を表示部１１０に表示させる。また、ＲＡＭ１０６が記憶している傾向フラグの値が「０」である場合、ＣＰＵ１０１は、二次電池１０７の蓄電量が変化していないことを示す表示内容を表示部１１０に表示させる。また、ＲＡＭ１０６が記憶している傾向フラグの値が「１」である場合、ＣＰＵ１０１は、二次電池１０７の蓄電量が増加していることを示す表示内容を表示部１１０に表示させる。その後、充電傾向表示処理を終了する。
【００３２】
上述したとおり、本実施形態では、ＣＰＵ１０１は、１日１回定時に二次電池１０７の電圧値を検出する。そして、ＣＰＵ１０１は、当日に検出した電圧値と、前日に検出した電圧値とを比較することで、二次電池１０７の充電傾向を判定する。具体的には、ＣＰＵ１０１は、当日に検出した電圧値よりも前日に検出した電圧値の方が高い場合、二次電池１０７の蓄電量が減少していると判定する。また、ＣＰＵ１０１は、当日に検出した電圧値と前日に検出した電圧値とが同じ場合、二次電池１０７の蓄電量が変化していないと判定する。また、ＣＰＵ１０１は、当日に検出した電圧値よりも前日に検出した電圧値の方が低い場合、二次電池１０７の蓄電量が増加していると判定する。
【００３３】
また、ＣＰＵ１０１は、二次電池１０７の充電傾向を示す表示内容を表示部１１０に表示させる。これにより、ユーザーは、表示部１１０が表示するこれらの表示内容を見ることで、二次電池１０７の充電傾向を知ることができる。従って、ユーザーは、電子時計１００を太陽に当てるなど積極的に二次電池１０７を充電した方がよいのか、そのまま電子時計１００を使用するだけでよいのか容易に判断することができる。
【００３４】
なお、電子時計１００は、二次電池１０７の電圧値のみを検出し、検出した電圧値を用いて二次電池１０７の充電傾向を判定している。そのため、電子時計１００は、従来必要であった入出力エネルギー量を検出するための特別な回路を用いることなく、二次電池１０７の充電傾向を判定することができる。従って、電子時計１００は、より簡易な構成で二次電池の充電傾向をユーザーに知らせることができる。
【００３５】
また、電子時計１００は、充電傾向を示す表示内容を表示部１１０に表示させるため、従来の３段階の表示「Ｈ」「Ｍ」「Ｌ」で二次電池の残量を示す表示では表示内容が変化しない場合においても、充電傾向をユーザーに知らせることができる。
【００３６】
図８は、１２月から４月まで、本実施形態における電子時計１００が、充電傾向表示処理で日々検出した二次電池１０７の電圧値を示したグラフである。また、図９は、３月２３日から４月２７日まで、本実施形態における電子時計１００が、充電傾向表示処理で日々検出した二次電池１０７の電圧値を示したグラフである。
【００３７】
図示するように、二次電池１０７の電圧値は日々異なるが、二次電池１０７の電圧値は２．３５Ｖから２．４５Ｖの間である。そのため、従来の３段階の表示方法で、二次電池の電圧値が２．４５Ｖ以上の場合には「Ｈ」を表示し、２．３５Ｖ未満かつ２．４５Ｖ以上の場合には「Ｍ」を表示し、２．３５Ｖ未満の場合には「Ｌ」を表示する場合には、二次電池の電圧値は日々異なるにも関わらず、電子時計は常に「Ｍ」を表示することとなる。そのため、従来の３段階の表示方法では、ユーザーは二次電池の充電傾向を知ることができない。
【００３８】
しかしながら、本実施形態における電子時計１００は、前日の電圧値と当日の電圧値とを比較して二次電池１０７の充電傾向を判定し、充電傾向を示す表示内容を表示部１１０に表示させる。従って、ユーザーは、従来の３段階の表示「Ｈ」「Ｍ」「Ｌ」で二次電池の残量を示す表示では表示内容が変化しない場合においても、二次電池１０７の充電傾向を知ることができる。
【００３９】
（第２の実施形態）
次に、本発明の第２の実施形態について、図面を参照しながら説明する。本実施形態における電子時計１００は、第１の実施形態における電子時計１００と同様の構成である。本実施形態と第１の実施形態とで異なる点は、充電傾向を判定する期間である。第１の実施形態における電子時計１００は１日毎の充電傾向を判定しているが、本実施形態における電子時計１００は、二次電池１０７の電圧値を複数回検出する毎に、複数回分の電圧値の平均値を算出し、算出した平均値に基づいて二次電池１０７の充電傾向を判定する。例えば、１日１回二次電池１０７の電圧値を検出して１週間毎の充電傾向を判定する場合、二次電池１０７の電圧値を７回検出する毎に、７回分の電圧値の平均値を算出し、算出した平均値に基づいて二次電池１０７の充電傾向を判定する。
【００４０】
以下、本実施形態における電子時計１００が、二次電池１０７の充電傾向を表示部１１０に表示する充電傾向表示処理について説明する。図１０は、本実施形態における電子時計１００が実行する充電傾向表示処理の処理手順を示したフローチャートである。なお、１日１回定時に充電傾向表示処理を実行し、１週間毎に二次電池１０７の充電傾向を判定する例を用いて説明する。
【００４１】
（ステップＳ２０１）ＣＰＵ１０１は、二次電池１０７の電圧値を検出する。その後、ステップＳ２０２の処理に進む。
（ステップＳ２０２）ＣＰＵ１０１は、ステップＳ１０１の処理で検出した二次電池１０７の電圧値を、「電圧値ｎ」としてＲＡＭ１０６に記憶させる。その後、ステップＳ２０３の処理に進む。なお、ｎの値はＲＡＭ１０６が記憶している。
（ステップＳ２０３）ＣＰＵ１０１は、本日は、週の切替り日（例えば日曜日）であるか否かを判定する。本日は週の切替り日であるとＣＰＵ１０１が判定した場合にはステップＳ２０５の処理に進み、それ以外の場合にはステップＳ２０４の処理に進む。なお、週の切替り日は予め決められていても良く、ユーザーが任意に設定できるようにしてもよい。
（ステップＳ２０４）ＣＰＵ１０１は、ＲＡＭ１０６が記憶しているｎの値を読み出し、１を加算する。そしてＣＰＵ１０１は、加算後の値をｎの値としてＲＡＭ１０６に記憶させる。その後、ステップＳ２１２の処理に進む。
【００４２】
（ステップＳ２０５）ＣＰＵ１０１は「今週の平均電圧値」を算出する。具体的には、ＣＰＵ１０１は、ＲＡＭ１０６が記憶している「電圧値１」〜「電圧値７」の平均値を算出する。その後、ステップＳ２０６の処理に進む。
【００４３】
（ステップＳ２０６）ＣＰＵ１０１は、ステップＳ２０５の処理で算出した「今週の平均電圧値」と、ＲＡＭ１０６が記憶している「前週の平均電圧値」とを比較し、どちらの電圧値が高い（低い）電圧値であるかを判定する。ステップＳ２０５の処理で算出した「今週の平均電圧値」は「前週の平均電圧値」よりも低い電圧値であるとＣＰＵ１０１が判定した場合にはステップＳ２０７の処理に進む。また、ステップＳ２０５の処理で算出した「今週の平均電圧値」と、「前週の平均電圧値」とは同じ電圧値であるとＣＰＵ１０１が判定した場合にはステップＳ２０８の処理に進む。また、ステップＳ２０５の処理で算出した「今週の平均電圧値」は「前週の平均電圧値」よりも高い電圧値であるとＣＰＵ１０１が判定した場合にはステップＳ２０９の処理に進む。なお、電子時計１００が起動またはリセットされた等により、ＲＡＭ１０６に「前週の平均電圧値」が記憶されていない場合には、ＣＰＵ１０１は、ステップＳ２０５の処理で算出した「今週の平均電圧値」を「前週の平均電圧値」としてＲＡＭ１０６に記憶させ、充電傾向表示処理を終了する。
【００４４】
（ステップＳ２０７）ＣＰＵ１０１は、ＲＡＭ１０６が記憶している週傾向フラグの値を「−１」に更新する。その後、ステップＳ２１０の処理に進む。
（ステップＳ２０８）ＣＰＵ１０１は、ＲＡＭ１０６が記憶している週傾向フラグの値を「０」に更新する。その後、ステップＳ２１０の処理に進む。
（ステップＳ２０９）ＣＰＵ１０１は、ＲＡＭ１０６が記憶している週傾向フラグの値を「１」に更新する。その後、ステップＳ２１０の処理に進む。
【００４５】
（ステップＳ２１０）ＣＰＵ１０１は、ＲＡＭ１０６が記憶しているｎの値を「１」に更新する。その後、ステップＳ２１１の処理に進む。
（ステップＳ２１１）ＣＰＵ１０１は、ＲＡＭ１０６が記憶している「前週の平均電圧値」の値を、ステップＳ２０５の処理で算出した「今週の平均電圧値」の値に更新する。その後、ステップＳ２１２の処理に進む。
【００４６】
（ステップＳ２１２）ＣＰＵ１０１は、ＲＡＭ１０６が記憶している週傾向フラグの値に基づいて、二次電池１０７の充電傾向を示す表示内容を表示部１１０に表示させる。具体的には、ＲＡＭ１０６が記憶している週傾向フラグの値が「−１」である場合、ＣＰＵ１０１は、二次電池１０７の蓄電量が減少していることを示す表示内容を表示部１１０に表示させる。また、ＲＡＭ１０６が記憶している週傾向フラグの値が「０」である場合、ＣＰＵ１０１は、二次電池１０７の蓄電量が変化していないことを示す表示内容を表示部１１０に表示させる。また、ＲＡＭ１０６が記憶している週傾向フラグの値が「１」である場合、ＣＰＵ１０１は、二次電池１０７の蓄電量が増加していることを示す表示内容を表示部１１０に表示させる。その後、充電傾向表示処理を終了する。
【００４７】
上述したとおり、本実施形態では、ＣＰＵ１０１は、所定の周期、例えば１日１回定時に二次電池１０７の電圧値を検出する。また、ＣＰＵ１０１は、所定の回数毎、例えば１週間に１度の場合では二次電池１０７の電圧値を７回検出した場合に、１週間分の電圧値の平均値「今週の平均電圧値」を算出し、前週に算出した１週間分の電圧値の平均値「前週の平均電圧値」と比較することで、二次電池１０７の１週間の充電傾向を判定する。具体的には、ＣＰＵ１０１は、「今週の平均電圧値」よりも「前週の平均電圧値」の方が高い場合、二次電池１０７の蓄電量が減少していると判定する。また、ＣＰＵ１０１は、「今週の平均電圧値」と「前週の平均電圧値」とが同じ場合、二次電池１０７の蓄電量が変化していないと判定する。また、ＣＰＵ１０１は、「今週の平均電圧値」よりも「前週の平均電圧値」の方が低い場合、二次電池１０７の蓄電量が増加していると判定する。
【００４８】
また、ＣＰＵ１０１は、二次電池１０７の充電傾向を示す表示内容を表示部１１０に表示させる。これにより、ユーザーは、表示部１１０が表示するこれらの表示内容を見ることで、二次電池１０７の１週間の充電傾向を知ることができる。従って、ユーザーは、電子時計１００を太陽に当てるなど積極的に二次電池１０７を充電した方がよいのか、そのまま電子時計１００を使用するだけでよいのか容易に判断することができる。
【００４９】
なお、電子時計１００は、二次電池１０７の電圧値のみを検出し、検出した電圧値を用いて二次電池１０７の充電傾向を判定している。そのため、電子時計１００は、従来必要であった入出力エネルギー量を検出するための特別な回路を用いることなく、二次電池１０７の充電傾向を判定することができる。従って、電子時計１００は、より簡易な構成で二次電池の充電傾向をユーザーに知らせることができる。
【００５０】
また、電子時計１００は、充電傾向を示す表示内容を表示部１１０に表示させるため、従来の３段階の表示「Ｈ」「Ｍ」「Ｌ」で二次電池の残量を示す表示では表示内容が変化しない場合においても、充電傾向をユーザーに知らせることができる。
【００５１】
なお、上述した第１の実施形態および第２の実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５３】
以上、本発明の実施形態について説明したが、本発明は、上記実施形態に限定されるものではなく、本発明の趣旨を逸脱しない範囲において種々の変更を加えることが可能である。
【００５４】
例えば、上述した実施形態では、二次電池の１日または１週間の充電傾向を判定する例を説明したが、これに限らず、任意の期間の充電傾向を判定し、ユーザーに知らせるようにしてもよい。
【符号の説明】
【００５５】
１００・・・電子時計、１０１・・・ＣＰＵ、１０２・・・発振回路、１０３・・・分周回路、１０４・・・入力部、１０５・・・ＲＯＭ、１０６・・・ＲＡＭ、１０７・・・二次電池、１０８・・・太陽電池、１０９・・・逆流防止回路、１１０・・・表示部、２００・・・過充電防止回路、２０１・・・基準電圧回路、２０２・・・コンパレータ部、２０３・・・ＮＭＯＳトランジスタ
【図１】
2013029407.tif 000003
【図２】
2013029407.tif 000004
【図３】
2013029407.tif 000005
【図４】
2013029407.tif 000006
【図５】
2013029407.tif 000007
【図６】
2013029407.tif 000008
【図７】
2013029407.tif 000009
【図８】
2013029407.tif 000010
【図９】
2013029407.tif 000011
【図１０】
2013029407.tif 000012